(57)【要約】【課題】膝頭を圧迫せずに膝頭周辺部を適切に締め付ける膝サポータを提供することを目的とする。【解決手段】本発明の膝サポータは、上下一対の突片を備えた巻付け布片を左右両側に有するサポータ本体と、サポータ本体の裏側に取着された覆い布片と、から成る。サポータ装着時には、覆い布片が膝頭に直接に接触して捲回されて、巻付け布片が覆い布片の上から巻き回されて膝頭周囲に固定される。本発明の膝サポータの装着は、まず、膝頭部に覆い布片を巻き付けて覆い布片係合手段により係合固定し、次いで巻付け布片を上側突片を膝頭の上側で、下側突片を膝頭の下側でそれぞれ係合して固定することによりサポータを装着する。この膝サポータは、覆い布片が膝頭を強く圧迫することなく覆って、保温に寄与し、巻付け布片が膝頭を覗いて固定できるので、膝頭を圧迫せずに、関節部位を締付け固定することができる。【選択図】図１
2004332125.tif 000002
【特許請求の範囲】
【請求項１】
伸縮性軟質生地から成るサポータ本体と、伸縮性軟質生地から成る膝頭用の覆い布片と、から構成された膝サポータであって、
サポータ本体が、膝裏部と、該膝裏部の左右の側部に形成されて左右に伸張し且つ途中で上下に二股状に分離して上側および下側突片を形成した左右の巻付け布片とを備え、
巻付け布片には、左右の上側突片の端部を係合する上側突片係合手段と、左右の下側突片の端部を係合する下部突片係合手段と、を設け、
覆い布片は、膝裏部の左右いずれか一方の側部の裏面側に取着されており、覆い布片の端部には、膝裏部の他方の側部近傍の裏面と着脱可能に係合する覆い布片係合手段を設けた膝サポータ。
【請求項２】
上側突片係合手段が、一方の巻付け布片の上側突片の端部を他方の巻付け布片の上側突片の端部表面に着脱可能に係合し、下部突片係合手段が、当該他方の巻付け布片の下側突片の端部を当該一方の巻付け布片の下側突片の端部表面に着脱可能に係合するようにされている請求項１に記載の膝サポータ。
【請求項３】
巻付け布片が、その二股状の分岐部の近傍の裏面に、覆い布片の表面と着脱可能に係合する分岐部係合手段を備えた請求項１又は２に記載の膝サポータ。
【請求項４】
サポータ本体の膝裏部の側部近傍に縦方向に可撓性硬質の補強芯材を少なくとも左右一対固定した請求項１ないし３のいずれかに記載の膝サポータ。
【請求項５】
補強芯材がコイルスプリングを軸に対して横方向に押しつぶした扁平スプリングである請求項４に記載の膝サポータ。
【請求項６】
巻付け布片の上側突片が、巻付け布片の下側突片より長くされている請求項１ないし５のいずれかに記載の膝サポータ。
【請求項７】
上側および下側突片係合手段が面ファスナである請求項１ないし６のいずれかに記載の膝サポータ。
【発明の詳細な説明】
【０００１】
【発明の属する技術分野】
本発明は、膝部疼痛を緩和する膝サポータで、特に膝部を適度に締め付け且つ膝頭部を保温する膝サポータに関する。
【０００２】
【従来の技術】
従来の膝サポータの１例は、図６に示すように、薄地の通気性の高い軟質生地から成る膝裏用布片１２０と該膝裏用布片１２０の左右側部に接合されて左右に伸張した巻付け布片１２１とから成るサポータ本体１１０と、サポータ本体１１０の膝裏用布片１２０の左右いずれか一方の側部の表側に一端が取着された覆い布片３００と、から成っている（例えば、特許文献１参照。）。このサポータの巻付け布片２１は、上下に分離して上下一対の突片１２２ａ、１２２ｂを備えており、該一対の突片１２２ａ、１２２ｂの間には、切欠き部１２３、１２３を形成している。
【０００３】
上記のサポータは、装着時には、脚部膝裏に膝裏用布片１２０が配置され、上記切欠き部１２３、１２３から膝頭が覗くように膝頭上下部で突片１２２ａ、１２２ｂを係合し、その後に覆い布片３００が膝頭を覆ってサポータ本体１１０に係合される。このサポータでは、図６に示すように、右側の上下一対の突片１２２ａ、１２２ｂの端部裏側にフック状の面ファスナが取着されており、左側の上下一対の突片１２２ａ、１２２ｂの表面側に係合できるようにされている。
このサポータは、覆い布片３００によって締め付け固定の効果が促進でき、ずり落ちが防止され、そして夏場に涼しく装着できるという特徴がある。
【０００４】
【特許文献１】
特開２００２−３４５８６５号公報
【０００５】
【発明が解決しようとする課題】
しかし、従来のサポータは、覆い布片により締め付け固定すると膝頭とその周辺部とを一様に圧迫するので、膝頭が痛む等の理由により膝頭周辺部のみを圧迫したい場合には適していなかった。また、冬場や冷房等で膝部が冷えて痛みが生じた場合に膝部を暖めて痛みを緩和する機能は十分ではなかった。
【０００６】
そこで、本発明は、膝頭を圧迫せずに膝頭周辺部を適切に締め付ける膝サポータを提供することを目的とする。また、膝部を暖めて膝部の疼痛を緩和する膝サポータを提供することを目的とする。
【０００７】
【課題を解決するための手段】
本発明の膝サポータは、上下一対の突片を備えた巻付け布片を左右両側に有するサポータ本体と、サポータ本体の裏側に取着された覆い布片と、から成り、サポータ装着時には、覆い布片が膝頭に直接に接触して捲回され、次に巻付け布片を覆い布片の上から巻き回されて膝頭周囲に固定される。
【０００８】
本発明の膝サポータは、膝頭部に覆い布片を巻き付けて覆い布片係合手段により係合固定し、次いで巻付け布片を上側突片を膝頭の上側で、下側突片を膝頭の下側でそれぞれ係合して固定することによりサポータを装着する。この膝サポータは、覆い布片が膝頭を強く圧迫することなく覆って、保温に寄与し、巻付け布片が膝頭を覗いて固定できるので、膝頭を圧迫せずに、関節部位を締付け固定することができる。
【０００９】
【発明の実施の形態】
本発明の膝サポータは、伸縮性軟質生地から成るサポータ本体と、伸縮性軟質生地から成る膝頭用の覆い布片と、から構成された膝サポータであって、サポータ本体が、膝裏部と、該膝裏部の左右の側部に形成されて左右に伸張し且つ途中で上下に二股状に分離して上側および下側突片を形成した左右の巻付け布片とを備えている。巻付け布片には、左右の上側突片の端部を係合する上側突片係合手段と、左右の下側突片の端部を係合する下部突片係合手段と、を設け、覆い布片は、膝裏部の左右いずれか一方の側部の裏面側に取着されており、覆い布片の端部には、膝裏部の他方の側部近傍の裏面と着脱可能に係合する覆い布片係合手段を設けている。
【００１０】
上側及び下側の突片係合手段は、一方の巻付け布片の端部が、他方の巻付け布片の端部表面に着脱可能に係合できるようにすることができる。これにより、一方の巻付け布片の端部の他方の端部表面への係合位置を調節して、締付け力を調節することができる。
【００１１】
別の実施形態は、上記の上側突片係合手段は、一方の巻付け布片の上側突片の端部を他方の巻付け布片の上側突片の端部表面に着脱可能に係合できるようにするが、上記の下部突片係合手段は、当該他方の巻付け布片の下側突片の端部を当該一方の巻付け布片の下側突片の端部表面に着脱可能に係合するようにする。例えば、右側の上側突片が表側であれば左の下側突片が表側になるように、表側に配置される突片を上側突片と下側突片とで左右を逆にする。このとき、膝頭の周囲の関節部位に環状に回転方向の応力が発生して膝頭の周辺部を効果的に締め付けて圧迫することができ、膝関節痛の緩和に役立つ。
【００１２】
このような上側および下側の突片係合手段には、特に、面ファスナを用いるのが好ましく、着脱自在に係合できて係合強度も十分に強く、装着時の膝部圧迫強度を無段階で調節可能になる。このような面ファスナは、後述の如く、一方の突片の端部にフック面ファスナを取着し、これを受ける突片の端部表面をループ布地とすることができる。
【００１３】
本発明の膝サポータでは、巻付け布片が、二股状の分岐部の近傍の裏面に、覆い布片の表面と着脱可能に係合する分岐部係合手段を備えるのが好ましい。ここで分岐部とは、上側突片と下側突片とが分岐する位置であり、それらの突片の間に形成された切欠き部の最も深い部分である。サポータが分岐部係合手段を有すると、装着する際には、巻付け布片を覆い布片に仮止めできるので巻付け布片を巻き回しやすくなり、また装着した後には、巻付け布片が覆い布片に対してずれるのを防止できる。
【００１４】
巻付け布片は、上側突片が下側突片より長くされているのが、膝関節部より上側の太股部側に好都合に巻き回すことができるので好ましく、このような膝サポータでは、下側突片が、膝関節部より下側の細めの脛部側に巻き回すのに適合している。
【００１５】
さらに、覆い布片係合手段や分岐部係合手段は、フックやスナップなどの係止具でも良いが、特に、面ファスナ―とするのが好ましく、覆い布片を、巻付け布片に着脱自在に係合でき、しかも、適度に緊張力を付与して膝頭に対する圧迫を軽減したり強めたりして症状に応じて適度の調節することができ、且つ保温を適切に調節することができる。
【００１６】
サポータ本体は、軟質でゴム弾性を有する薄手の弾性生地から形成することができるが、表面には、上側および下側の突片端部のフック面ファスナと係合可能なパイルが形成されているのが好ましい。表面のパイルは、サポータ本体を構成する弾性生地をパイル織りにすることにより形成することができ、また、弾性生地の表面に別の薄地の伸縮性パイル地を固着して形成することもできる。
【００１７】
覆い布片は、軟質で伸縮性を有し保温性のある薄手の伸縮性生地から成るのが好ましい。覆い布片が保温性の生地から形成されていると、膝頭を暖かく保つことができるので、疼痛緩和に効果がある。覆い布片が伸縮性の生地から成ると、膝関節の屈伸時に膝頭の動きに合って伸縮するので歩行や運動がしやすく且つ必要以上に締付け力が働かず、特に膝頭に苦痛を与えず、また、膝関節を屈伸しても覆い布片と膝頭との間に隙間ができないので温まった膝部に外部からの冷えた空気が入り込むことがない。さらに、覆い布片が軟質であると、膝部に巻き回しが容易であり、装着感が良好である。
【００１８】
覆い布片の表面にはフック面ファスナと係合可能なパイルが形成されているのが好ましいが、このパイルは、サポータ本体を構成する伸縮生地をパイル織りにすることにより形成することができ、また、伸縮生地の表面に別の薄地の伸縮性パイル地を固着して形成することもできる。
【００１９】
本発明の膝サポータは、サポータ本体のうち膝裏に配置される膝裏部を有しているが、その膝裏部の側部近傍に縦方向に可撓性硬質の補強芯材を少なくとも左右一対固定するのが、膝サポータの捲くれ上がりを効果的に防止できるので好ましい。
【００２０】
補強芯材としては、コイルスプリングを軸に対して横方向に押しつぶした扁平スプリングが好ましく、スプリングの扁平面内には比較的容易に曲がるので装着時の膝関節の屈折がスムーズで、扁平面から離れる方向には曲がりにくいのでサポータが捲くれ上がるのを抑えることができる。
【００２１】
本発明の膝サポータでは、覆い布片の裏面に、遠赤外線発生材または放射性マイナスイオン発生材を含むことができ、これらの発生材が膝関節を暖めたり血行を良好にして膝部の疼痛緩和に効果が期待される。
【００２２】
【実施例】
本発明の膝サポータ１は、図１の展開正面図、図２の展開裏面図に示すように、サポータ本体１は、膝裏部２１の右側部２１ａおよび左側部２１ｂに右巻付け布片２２および左巻付け布片２５がそれぞれ形成されている。
【００２３】
右側と左側の巻付け布片２２、２５は、端部から切りこまれた切欠き部２２ｃ、２５ｃが形成されて、上側突片２２ａ、２５ａと下側突片２２ｂ、２５ｂに分岐している。この例は、右上側突片２２ａと、左下側突片２５ｂには、端部にフック面ファスナ２３、２６が取着されている。
【００２４】
膝裏部２１の両側部２１ａ、２１ｂには、コイルボーンが各２本ずつ固定されており、コイルボーン４は、例えばサポータ本体２の裏面２９側から細長い布片を当てて周囲を縫合して袋状にした内部に挿入して、固定することができる。
【００２５】
サポータ本体１の左側部２１ｂには、覆い布片３の固定端３１ａが縫い付けられて固定されている。覆い布片３は、固定端３１ａがサポータ本体２の膝裏部２１に固定されて、自由端３１ｂがその表側３４にフック面ファスナ３２を取着されている。これに対応して、サポータ本体１の膝裏部２１の右側部２１ａの裏面２９には固定されたループ面ファスナ３３が取着されており、覆い布片３の自由端側のフック面ファスナ３２が、サポータ本体１の裏面側のループファスナ３３と係合可能にされている。
【００２６】
この例は、覆い布片３の裏側３５には、微弱な放射能を有しマイナスイオンを発生可能とされる材料を用いて、マイナスイオン発生プリントを形成している。
【００２７】
本発明の膝サポータ１の装着は、図３ないし図５に示す順で行う。まず、覆い布片３を膝頭にあてがった状態でサポータ本体２を膝裏に巻きまわして、覆い布片３の自由端３１ｂのフック面ファスナ３２とサポータ本体２の裏面２９のループ面ファスナ３３とを係合して、図３に示すように膝部に固定する。
【００２８】
次いで、図４に示すように、巻付け布片２２、２５の分岐部のフック面ファスナ２３を覆い布片３の表面３４に係合して巻付け布片２２、２５を仮固定し、左上側突片２５ａを引き伸ばして膝頭の上部に押さえて、そして右上側突片２２ａを引き伸ばして左上側突片２５ａの上に重ねて、右上側突片２２ａのフック面ファスナ２３を左上側突片２５ａの表面に係合させる。
【００２９】
最後に、図５に示すように、右下側突片２２ｂを引き伸ばして膝頭の下部に押さえて、そして左下側突片２５ｂを引き伸ばして右下側突片２２ｂの上に重ねて、左下側突片２５ｂのフック面ファスナ２６を右下側突片２２ｂａの表面に係合させて、膝サポータ１が装着される。
【００３０】
この装着例では、上側突片２２ａ、２５ａを先に、下側突片２２ｂ、２５ｂを後に係合しているが、下側突片２２ｂ、２５ｂを先に係合して、その後に上側突片２２ａ、２５ａを係合することもできる。上側および下側突片の装着順を変えても、同じ疼痛緩和効果を得ることができる。
【００３１】
【発明の効果】
本発明の膝サポータは、覆い布片が膝頭に直に接触して膝頭を圧迫することなく保温し、巻付け布片が覆い布片の上から膝頭周囲に固定されるので、膝頭を損傷している場合でも、膝頭の周囲のみを圧迫固定して膝関節を痛みを緩和することができる。
【００３２】
また、本発明の膝サポータは、係合時の表面側になる突片が、上側突片と下側突片とで左右が逆にされていると、膝頭の周囲を圧迫することができて、覆い布片によって圧迫力の増強がなくても十分に疼痛緩和効果を得ることができる。
【００３３】
本発明の膝サポータでは、巻付け布片が分岐部の近傍の裏面に、覆い布片の表面と着脱可能に係合する分岐部係合手段を備えると、突片が係合する前であっても、巻付け布片が膝頭の周辺に仮固定できるので、装突片の係合が容易になり、また、膝サポータの装着使用時には、巻付け布片が覆い布片に固定されるので、運動等で膝関節を動かしても、巻付け布片と覆い布片とが滑ってずれることがなく、全体としてずれにくい膝サポータになる。
【００３４】
本発明の膝サポータは、サポータ本体の膝裏部の側部近傍に縦方向に可撓性硬質の補強芯材を少なくとも左右一対固定すると、サポータの裾部が捲くれ上がるのを防止できるだけでなく、補強芯材が膝関節を直立状態に戻そうとする復元力を有するので、転倒などにより膝関節に可動方向ではない向きの応力がかかった場合に、その応力を緩和して、膝関節がさらに損傷するのを防止することができる。
【００３５】
補強芯材としては、コイルスプリングを軸に対して横方向に押しつぶした扁平スプリングを用いると、膝関節を屈折するのが容易で歩行時や運動時の使用に適している。
【００３６】
巻付け布片は、上側突片が下側突片より長くされていると、上側突片を膝関節部より上側の太股部側に巻き回して、下側突片を膝関節部より下側の細めの脛部側に巻き回すのに好適である。
【００３７】
本発明の膝サポータに各種の係合手段に面ファスナを用いると、着脱自在の係合が可能で、係合強度も十分に強くできるので膝サポータの疼痛緩和効果が発揮でき、また、装着時の膝部圧迫強度を無段階で調節可能になるので、膝サポータの圧迫力の微調整ができ、そして膝関節の太さの違う人に共用することができる。
【図面の簡単な説明】
【図１】本発明の実施例にかかる膝サポータの正面図である。
【図２】本発明の実施例にかかる膝サポータの裏面図である。
【図３】本発明の実施例にかかる膝サポータの装着中の斜視図である。
【図４】本発明の実施例にかかる膝サポータの装着中の斜視図である。
【図５】本発明の実施例にかかる膝サポータの装着を完了した斜視図である。
【図６】従来の膝サポータの正面図（Ａ）および裏面図（Ｂ）である。
【符号の説明】
１      膝サポータ
２      サポータ本体
２１    膝裏部
２２    右巻付け布片
２２ａ  右上側突片
２２ｂ  右下側突片
２５    左巻付け布片
２５ａ  左上側突片
２５ｂ  左下側突片
３      覆い布片
４      コイルボーン
【図１】
2004332125.tif 000003
【図２】
2004332125.tif 000004
【図３】
2004332125.tif 000005
【図４】
2004332125.tif 000006
【図５】
2004332125.tif 000007
【図６】
2004332125.tif 000008